(57)【要約】【課題】パネルの着脱に工具を使用することなく簡単に行うことができる電気機器収納用箱体を提供する。【解決手段】電気機器収納用箱体１は、背板３、天板４、底板５、左右側板６，６とで前面を開口して成る箱体２と、箱体２の前面開口に開閉自在に設けられる扉体８と、各種電気機器が搭載されて箱体２の背板３に固定されるパネル１７とで成り、背板３にパネル１７の下端を支持する支持片２５ａと、パネル１７と背板３の間に間隔を設けるための嵩上げ片２５ｂと、パネル１７の左右位置を規制する保持片２５ｃと、パネル１７の左右上部に係止する係止部材２６とを設け、パネル１７を左右の保持片２５ｃ，２５ｃ間に嵌まるように位置合わせしてパネル１７の下端を支持片２５ａに嵌めて支持させ、パネル１７の左右上部を係止部材２６により係止させて背板３にパネル１７を固定する。【選択図】図５
2010212313.tif 000002
【特許請求の範囲】
【請求項１】
背板、天板、底板、左右側板とで前面を開口して成る箱体と、該箱体の前面開口に開閉自在に設けられる扉体と、各種電気機器が搭載されて前記箱体の背板に固定されるパネルとで成る電気機器収納用箱体であって、前記背板に設けられた支持片により前記パネルの下端を支持し、前記背板の左右上部に設けられた係止部材により前記パネルの左右上部を係止させて前記パネルを固定することを特徴とする電気機器収納用箱体。
【請求項２】
矩形状の長板部材の短手方向の一方の端縁をＬ字状に折曲して前記支持片を形成し、前記長板部材の長手方向の一方の端縁を折曲して前記パネルと前記背板との間に間隔を設けるための嵩上げ片を形成し、前記長板部材の長手方向の他方の端縁の中間部を折曲して前記パネルの左右位置を規制する前記保持片を形成し、前記長板部材の長手方向の他方の端縁の上部を折曲して前記係止部材を取り付ける取付片を形成し、左右対称に形成した一対の前記長板部材を前記背板に固定したことを特徴とする請求項１に記載の電気機器収納用箱体。
【発明の詳細な説明】
【技術分野】
【０００１】
本発明は、各種電気機器を収納するための電気機器収納用箱体に関する。
【背景技術】
【０００２】
従来、配電用機器、制御用機器、通信用機器等の各種電気機器を収納するための電気機器収納用箱体は、一般に背板、天板、底板、左右側板とを一体に形成して前面を開口して成る箱体と、前面開口に開閉自在に設けられる扉体とで成っている（例えば、特許文献１参照。）。また、保管時の省スペース化、運搬時の効率化を図り、また、１人でも設置作業ができるように箱体の背板、天板、底板、左右側板の５つの部位が夫々分割して形成され、施工時に組み立てて使用するものもあった（例えば、特許文献２参照。）。これらの電気機器収納用箱体に電気機器を収納するには、電気機器をパネルに搭載し、パネルを背板に固定して取り付けるようになっている。
【先行技術文献】
【特許文献】
【０００３】
【特許文献１】特開平９−３２１４５０号公報
【特許文献２】特開２００８−１７２８９９号公報
【発明の概要】
【発明が解決しようとする課題】
【０００４】
しかしながら、従来の電気機器収納用箱体は、特許文献１のものは背板に設けられたボルトにパネルを挿通させてナットで固定し、特許文献２のものはパネルにネジを挿通させて背板に固定している。このように、取り付けには工具を必要とし、パネルの４隅をネジ止めしなければならないので作業が煩わしいという欠点があった。また、箱体を建築物の壁面に取り付けた際に歪む場合があり、箱体が歪むことで扉体が傾いてしまうことがあった。
【課題を解決するための手段】
【０００５】
本発明は、請求項１に記載の発明によれば、背板、天板、底板、左右側板とで前面を開口して成る箱体と、箱体の前面開口に開閉自在に設けられる扉体と、各種電気機器が搭載されて箱体の背板に固定されるパネルとで成る電気機器収納用箱体であって、背板に設けられた支持片によりパネルの下端を支持し、背板の左右上部に設けられた係止部材によりパネルの左右上部を係止させてパネルを固定することを特徴とする。
【０００６】
請求項２に記載の発明によれば、請求項１に記載の電気機器収納用箱体において、矩形状の長板部材の短手方向の一方の端縁をＬ字状に折曲して支持片を形成し、長板部材の長手方向の一方の端縁を折曲してパネルと背板との間に間隔を設けるための嵩上げ片を形成し、長板部材の長手方向の他方の端縁の中間部を折曲してパネルの左右位置を規制する保持片を形成し、長板部材の長手方向の他方の端縁の上部を折曲して係止部材を取り付ける取付片を形成し、左右対称に形成した一対の長板部材を背板に固定したことを特徴とする。
【発明の効果】
【０００７】
請求項１に記載の発明によれば、パネルの着脱に工具を使用することなく簡単に行うことができるという効果がある。
【０００８】
請求項２に記載の発明によれば、請求項１に記載の発明の効果に加えて、パネル取付の各種部位を１対の部品で形成することができ、而も背板の強度が向上するので背板の取付時の歪みをなくし、箱体の変形を防止して、扉体が傾くことを防止することができるという効果がある。
【図面の簡単な説明】
【０００９】
【図１】本発明に係る電気機器収納用箱体を示し、（ａ）は正面図、（ｂ）は右側面図である。
【図２】背板の正面図である。
【図３】長板部材を示し、（ａ）は正面図、（ｂ）は右側面図である。
【図４】背板と側体を離した状態の縦断面図である。
【図５】背板にパネルを取り付けた状態の正面図である。
【図６】背板に側体を取り付ける様子を示す縦断面図である。
【発明を実施するための形態】
【００１０】
電気機器収納用箱体は、背板、天板、底板、左右側板とで前面を開口して成る箱体と、箱体の前面開口に開閉自在に設けられる扉体と、各種電気機器が搭載されて箱体の背板に固定されるパネルとで成り、背板にパネルの下端を支持する支持片と、パネルと背板の間に間隔を設けるための嵩上げ片と、パネルの左右位置を規制する保持片と、パネルの左右上部に係止する係止部材とを設け、パネルを左右の保持片間に嵌まるように位置合わせしてパネルの下端を支持片に嵌めて支持させ、パネルの左右上部を係止部材により係止させて背板にパネルを固定する。
【実施例１】
【００１１】
本発明に係る電気機器収納用箱体の実施例１を図１〜図６の添付図面に基づいて説明する。
【００１２】
電気機器収納用箱体１は、背板３、天板４、底板５、左右側板６，６とで前面を開口して成る箱体２と、箱体２の前面開口に開閉自在に設けられる扉体８と、配電用機器、制御用機器、通信用機器等の各種電気機器が搭載されて箱体２の背板３に固定されるパネル１７とで成り、箱体２は天板４、底板５、左右側板６，６が一体にして側体７が形成され、背板３は側体７とは別体に形成され、背板３に側体７が着脱自在にされている。
【００１３】
背板３はパネル１７の下端を支持する支持片２５ａと、パネル１７と背板３との間に間隔を設けるための嵩上げ片２５ｂと、パネル１７の左右位置を規制する保持片２５ｃと、パネル１７の左右上部に係止する係止部材２６とが設けられる。
【００１４】
これらのパネル取付部位は係止部材２６を除いて長板部材２５により一体に形成され、矩形状の長板部材２５の短手方向の一方の端縁を内側方向にＬ字状に折曲して支持片２５ａを形成し、長板部材２５の長手方向の一方の端縁を折曲して嵩上げ片２５ｂを形成し、長板部材２５の長手方向の他方の端縁の中間部を折曲して保持片２５ｃを形成し、長板部材２５の長手方向の他方の端縁の上部を外側方向にＬ字状に折曲して係止部材２６を取り付けるための取付片２５ｄを形成し、取付片２５ｄには係止部材としてのラッチ２６がパネル１７に向けて進退するように取り付けられている。このように形成された長板部材２５は左右対称に形成され、一対の長板部材２５，２５が背板３に溶接されて固定されている。
【００１５】
また、側体７は背面側の左右の下端縁に背板３の下端縁に係止する引掛片７ｃ，７ｃが係止され、左右の上端縁に背板３の上端縁に係脱可能なラッチ９，９が設けられ、前面側には扉体８が開閉自在に蝶着されている。
【００１６】
このように構成された電気機器収納用箱体１の取り付けは、まず、背板３を建築物の壁面に取り付け、次に壁面に取り付けられた背板３に電気機器を搭載したパネル１７が取り付けられる。パネル１７の取り付けは左右の保持片２５ｃ，２５ｃ間にパネル１７が嵌まるように左右位置を合わせ、支持片２５ａ，２５ａにパネル１７の下端を嵌めて支持させ、パネル１７の上部をラッチ２６，２６で係止することで取り付ける。このときパネル１７は嵩上げ片２５ｂ，２５ｂにより背板３と間隔を有するように取り付けられるので電気機器を取り付けるためのネジがパネル１７の裏側に突出していても背板３に当たらないようになっている。そして、背板３に側体７の下端の引掛片７ｃを係止させた状態で上端のラッチ９，９を係止させて扉体８が取り付けられた側体７を取り付けることで完了する。
【００１７】
尚、本実施例において、箱体を側体と背板に分割して着脱自在に形成したが箱体全体を一体に形成しても良く、形状及び構造について本発明の趣旨を逸脱しない範囲で適宜変更して実施可能である。
【符号の説明】
【００１８】
１    電気機器収納用箱体
２    箱体
３    背板
４    天板
５    底板
６    左右側板
７    側体
７ｃ    引掛片
８    扉体
９    ラッチ
１７    パネル
２５    長板部材
２５ａ    支持片
２５ｂ    嵩上げ片
２５ｃ    保持片
２５ｄ    取付片
２６    係止部材（ラッチ）
【図１】
2010212313.tif 000003
【図２】
2010212313.tif 000004
【図３】
2010212313.tif 000005
【図４】
2010212313.tif 000006
【図５】
2010212313.tif 000007
【図６】
2010212313.tif 000008